(57)【要約】      （修正有）【課題】最も視聴したいと推測される番組を一律に次回パワーオン時に選局すると、その番組に視聴年齢制限が付されていた場合に、子供など制限が課された他者に視聴年齢制限が付された番組を見せないようにする。【解決手段】ユーザが登録した番組、チャンネル等に関する情報を記憶する登録番組記憶部を保持するメモリと、曜日を含めた日時を管理する日時管理部と、文字表示などを行うオンスクリーンディスプレイを生成するＯＳＤ生成部と、マルチメディア・プロセッサ部又はＯＳＤ生成部の少なくとも一方の出力信号に基づく出力を行うディスプレイ、スピーカなどの出力部と、を有している。制御部には、番組に視聴制限情報が付されている場合に、この視聴制限情報を検出する視聴制限情報検出部を有している。【選択図】図１
2006086597.tif 000002
【特許請求の範囲】
【請求項１】
パワーオン時に単位周期期間前の時間帯別最終視聴番組と同じチャネルを選局する制御を行う選局制御部を有する放送番組の受信装置であって、
前記選局制御部は、今回視聴対象となる番組に対応する前記単位周期期間前の時間帯別最終視聴番組が視聴制限番組であると判断された場合に該視聴制限番組を選局せずに該視聴制限番組以外の番組のチャネルを選局する制御を行うことを特徴とする受信装置。
【請求項２】
パワーオン命令を受け付けるパワーオン命令受信部と、
受信した放送番組の選局を行うチューナ部と、
該チューナ部により選局された放送番組の信号処理を行う信号処理部と、
曜日を含めた日時情報を管理する日時管理部と、
該日時管理部により管理される日時情報と視聴番組のチャネルＩＤとを関連付けして記憶する番組情報記憶部を保持するメモリと、
番組の視聴制限情報を検出する視聴制限情報検出部と、
前記パワーオン命令受信部がパワーオン命令を受け付けた際に前記番組情報記憶部を参照して現在日時と対応する単位期間だけ前の日時情報を有する視聴番組のチャネルＩＤを取得し該チャネルＩＤを有する視聴候補番組を選局するとともに、該視聴候補番組に視聴制限情報が付されている旨が前記視聴制限情報検出部により検出された場合に前記視聴候補番組のチャネルに代えて該視聴制限番組以外の番組のチャネルを選局する制御を行う選局制御部と
を有することを特徴とする放送番組の受信装置。
【請求項３】
前記視聴制限番組以外の番組のチャネルは、今回視聴番組の直前に視聴していた番組のチャネル又はデフォルトの番組のチャネルであることを特徴とする請求項１又は２に記載の受信装置。
【請求項４】
前記選局制御部は、今回視聴対象となる番組に対応する前記単位周期期間前の時間帯別最終視聴番組が存在しない場合には、今回視聴番組の直前に視聴していた番組が視聴制限番組であるか否かを判断し、直前に視聴していた番組が視聴制限番組でない場合には前記直前に視聴していた番組のチャネルを選局し、直前に視聴していた番組が視聴制限番組である場合にはデフォルト番組のチャネルを選局する制御を行うことを特徴とする請求項１から３までのいずれか１項に記載の受信装置。
【請求項５】
前記選局制御部は、今回視聴対象となる番組に対応する前記単位周期期間前の時間帯別最終視聴番組が存在する場合であってかつ視聴制限番組ではないと判断された場合に関しては、時間帯別最終視聴番組のチャネルを選局することを特徴とする請求項１から４までのいずれか１項に記載の受信装置。
【請求項６】
受信装置におけるチャネル選択制御方法であって、
選局処理の開始命令を受けて現在日時を取得するステップと、
今回視聴対象となる番組に前記現在日時に対応する単位周期期間前の時間帯別最終視聴番組が存在するか否かを検査するステップと、
対応する前記時間帯別最終視聴番組が存在する場合に視聴制限番組であるか否かを判断し、前記時間帯別最終視聴番組が視聴制限番組であると判断された場合に該視聴制限番組を選局せずに該視聴制限番組以外の番組のチャネルを選局するステップと
を有する受信装置のチャネル選択制御方法。
【請求項７】
受信装置におけるチャネル選択制御方法であって、
選局処理の開始命令を受けて現在日時を取得するステップと、
今回視聴対象となる番組に前記現在日時に対応する単位周期期間前の時間帯別最終視聴番組が存在するか否かを検査するステップと、
対応する前記時間帯別最終視聴番組が存在しない場合に、直前に視聴した直前視聴番組が番組視聴制限番組であるか否かを判断し、前記直前視聴番組が視聴制限番組であると判断された場合に該視聴制限番組を選局せずに該視聴制限番組以外の番組のチャネルを選局するステップと
を有する受信装置のチャネル選択制御方法。
【請求項８】
さらに、選局に成功した番組との日時情報を取得し、該日時情報と前記選局に成功した最終視聴番組とを対応させて記憶し、日時別最終視聴番組リストを作成するステップであって、前記選局に成功した最終視聴番組に視聴制限が付されている場合に該視聴制限も併せて記憶させるステップと、
次回に番組を視聴した際の視聴日時を包含する前記日時情報を有する前記最終視聴番組が前記日時別最終視聴番組リスト内に存在する場合に、該日時別最終視聴番組リストを前記次回に番組を視聴した際の番組と日時情報とに更新するステップと
を有する請求項５から７までのいずれか１項に記載の受信装置のチャネル選択制御方法。
【請求項９】
請求項５から８までのいずれか１項に記載のステップをコンピュータに実行させるためのプログラム。
【請求項１０】
請求項９に記載のプログラムを記録した記録媒体。
【請求項１１】
現在時刻に対応する最終視聴番組が存在すれば前記最終視聴番組の視聴年齢制限の有無を判定する判定手段を備え、該判定手段により前記視聴年齢制限が無いと判定された場合には前記最終視聴番組のサービスをパワーオン時に選局することを特徴とする受信装置。
【請求項１２】
現在時刻に対応する最終視聴番組が存在すれば前記最終視聴番組の視聴年齢制限の有無を判定する判定手段を備え、該判定手段により前記視聴年齢制限が無いと判定された場合には前記最終視聴番組のサービスを所定の操作が行われた際に選局することを特徴とする受信装置。
【発明の詳細な説明】
【技術分野】
【０００１】
本発明は、複数のチャンネルを受信可能な受信装置に関し、より詳細には、次回の視聴時にリモートコントロール装置（以下、「リモコン」と称する。）で受信装置に対してオン操作を行った場合に、所望の時間帯に最も視聴したいと判断される番組を選局し表示する受信装置の選局制御技術において視聴制限がかかっていた場合に対応できる技術に関する。
【背景技術】
【０００２】
近年、伝送方式のデジタル化等により、放送番組の多チャンネル化が進んでいる。これに対応して、テレビジョン受信装置に関しても、多チャンネルを受信可能な受信装置が広く普及し、ユーザは数多くの番組の中より自分の好みに合った番組を選択、視聴することが可能となった。その反面、ユーザは多くの番組の中から自己が視聴したい番組を選択する処理に手間がかかるようになってきた。
【０００３】
そこで、多数の選択可能な番組の中から、ユーザがよく視聴するチャンネルを選択しやすくする機能に関する提案がなされている。例えば、特許文献１及び２には、最後に視聴した直前チャンネルを記憶しておき、受信装置のパワーオンとともに記憶されている直前チャンネルを利用する方法が提案されている。
【０００４】
また、特許文献３では、所望の時間帯にユーザが最も視聴したい番組を推測し、リモコンオンの操作に応じて、推測された番組を選局し表示する技術が開示されている。この技術は、ユーザが簡単な方法で登録したチャンネル、番組について、該登録時にシステムが自動的に同番組の番組情報を取得、データ化しておき、該データを常に日時と関連づけて管理することにより、常時ユーザの視聴希望番組を把握することで、ユーザのリモコンＯＮ操作のみで、所望する時間帯に最も視聴したいと思われる番組を選局、表示させることができる放送受信装置に関する。
【特許文献１】特開平６−３０３１０７号公報
【特許文献２】特開平１０−１４５６８９号公報
【特許文献３】特開２００１−２３０９７９号公報
【発明の開示】
【発明が解決しようとする課題】
【０００５】
しかしながら、特許文献１、２に記載されている技術では、ユーザの視聴傾向のうち最も大きい要素の１つである時間的要素、例えば毎週同じ時間帯にユーザが見ているシリーズ物の番組が視聴希望候補にならないため、ユーザの嗜好に応じた番組選択に対応できないという問題がある。すなわち、ユーザは、毎週同じ曜日の同じ時間にはシリーズ番組を見る傾向が強いが、このような傾向に対応することができない。
【０００６】
一方、特許文献３に記載の技術では、ある時間帯におけるユーザの所望の番組を曜日毎に推測するが、例えばその番組に視聴年齢制限などの視聴制限が付加されていた場合においても、同様の選局動作が行われるため、例えば、制限年齢よりも下の年齢の子供がリモコンパワーオン操作を行った場合でも、視聴年齢制限のかかった番組が表示されてしまうという問題点や、同じテレビを共有している他者がリモコンパワーオン操作を行った場合でも、視聴年齢制限のかかった番組が表示されて、他者に自己の視聴履歴を知られてしまうという問題点があった。また、視聴年齢制限のかかった番組を視聴するためにはパスワードの入力が必要となるように構成されたテレビも存在するが、このようなテレビにおいてパスワードが未入力の状態であっても、コンテンツの映像や音声は出力されないものの、番組のタイトルや内容、サービスＩＤ等が画面上に文字として出力されるものも存在し、同様の問題点があった。
【０００７】
本発明は、ある時間帯におけるユーザの所望の番組を曜日毎に推測する技術が用いられる受信装置において、番組視聴制限がかかっている番組がいきなり表示されてしまうという問題点を解決することを目的とする。さらに、本発明は、番組視聴制限がかかっている番組のタイトルや内容、サービスＩＤ等が表示されてしまうという問題点を解決することを目的とする。
【課題を解決するための手段】
【０００８】
本発明は、パワーオン時に単位周期期間前の時間帯別最終視聴番組と同じチャネルを選局する制御を行う選局制御部を有する放送番組の受信装置であって、前記選局制御部は、今回視聴対象となる番組に対応する前記単位周期期間前の時間帯別最終視聴番組が視聴制限番組であると判断された場合に該視聴制限番組を選局せずに該視聴制限番組以外の番組のチャネルを選局する制御を行うことを特徴とする。
【０００９】
基本動作としては、１）最終視聴番組のチャネルを次回のリモコンパワーオン時における選択チャネルとする。２）但し、例えば週毎の時間帯が同じであるかどうかに基づいて視聴者が希望すると推測される視聴希望番組候補がある場合には、例外としてこの視聴希望番組候補をリモコンパワーオン時における選択チャネルとする。視聴希望番組に視聴制限が付されている場合には、該視聴制限番組を選局せずに該視聴制限番組以外の番組のチャネルを選局する制御を行う。視聴希望番組は随時更新するが、更新に際して視聴制限情報が付されている場合には、この視聴制限情報を視聴希望番組に付加する。
【発明の効果】
【００１０】
本発明の受信装置によれば、最も視聴したいと推測される番組に視聴年齢制限等の視聴制限が付されていた場合には、リモコン装置によるパワーオン時にこの番組を選局せずに他の関係ない番組を選局するため。他者、特に子供などに視聴年齢制限が付された番組を見せずにすむという利点がある。また、かかる番組を受信装置の共有者に見られることを防止できるという利点がある。または、視聴制限が付されている番組自体の他に番組のタイトルや内容、サービスＩＤを見せずにすむという利点がある。
【発明を実施するための最良の形態】
【００１１】
以下に、本発明の実施の形態による受信装置について図面を参照しつつ説明を行う。まず、時間別最終視聴番組リストについて説明する。図１は、本実施の形態による受信装置の一構成例を示す図である。図２は、本実施の形態による受信装置による選局処理の流れを示すフローチャート図である。図３は、時間別の最終視聴番組のリストの例を示す図である。図４は、図２および図３に基づいて、提供される最終視聴サービスのサービスＩＤの例を示す図である。図５は、サービスＩＤの保存処理の流れを示す図である。図６は、年齢制限情報を加味して、時間別の最終視聴番組のリストを再作成する処理の流れを示す図である。
【００１２】
図１に示すように、本実施の形態による受信装置は、図示しないリモコン装置の操作に基づくＲＣ入力命令を受け付けるＲＣ受信部１１と、全体の制御を行う制御部１２と、図示しないアンテナにより受信した放送番組（コンテンツ）を選局するチューナ部１３と、チューナ部１３により選局された放送番組のストリームのＤＥＭＵＸ等の処理を行うストリーム処理部１４と、ストリーム処理部１４により処理されたストリーム内の映像、オーディオのデコード処理等を行うマルチメディア・プロセッサ部１５と、ユーザが登録した番組、チャンネル等に関する情報を記憶する登録番組記憶部１９を保持するメモリ１８と、曜日を含めた日時を管理する日時管理部２０と、文字表示などを行うオンスクリーンディスプレイを生成するＯＳＤ生成部２１と、マルチメディア・プロセッサ部１５又はＯＳＤ生成部２１の少なくとも一方の出力信号に基づく出力を行うディスプレイ、スピーカなどの出力部２２と、を有している。制御部には、番組に視聴制限情報が付されている場合に、この視聴制限情報を検出する視聴制限情報検出部１２ａを有している。
【００１３】
図３は、登録番組記憶部１９に記憶されている時間別最終視聴番組リストの一例を示す図である。図３に示すように、時間別最終視聴番組リストは、番組の開始時間と終了時間とサービスＩＤと視聴年齢制限とを示すテーブルである。図３においては、開始時間が月曜日の２１：００終了時間が月曜日の２２：００である番組であってサービスＩＤが１０３である番組と、開始時間が水曜日の２０：００終了時間が水曜日の２１：００である番組であってサービスＩＤが１４１である番組と、開始時間が木曜日の２２：００終了時間が木曜日の２３：００である番組であってサービスＩＤが１９１である番組と、が記載されており、制限情報として、それぞれ無制限、無制限、視聴年齢制限（Ｒ-１８：１８歳以上のみが視聴を許可される番組）であるという情報が記憶されている。時間別最終視聴番組リストは例えば不揮発性メモリなどに記録される。
【００１４】
受信装置により番組放送を視聴する際に処理の流れを示す。図１から図３までに示すように、選局処理が開始される契機としてリモコンのパワーオンスイッチがオンされると（開始：ステップＳ１）、ステップＳ２において現在時刻（曜日、月日などを含んでも良い）を取得する。次いで、ステップＳ３において、図３に示す時間別最終視聴番組リストから、現在時刻に対応する最終視聴番組を検索し、ステップＳ４において図３に示すリストに最終視聴番組候補が存在するか否かを判定する。最終視聴番組候補がリスト内に存在する場合には（Ｙｅｓ）、ステップＳ５に進み最終視聴番組の視聴年齢制限があるか否かを判定する。
【００１５】
ステップＳ５において、最終視聴番組の視聴年齢制限が無いと判断された場合には（Ｎｏ）、ステップＳ６において最終視聴番組のサービスＩＤを取得し、次いで、ステップＳ１０においてステップＳ６で取得した最終視聴番組のサービスＩＤのサービスを選局し、選局された番組の視聴を行い（ステップＳ０−１）選局処理を終了するとともに選局された番組を表示する（ステップＳ０−２）。
【００１６】
ステップＳ４において、最終視聴番組候補が図３に示すリスト内に存在しない（Ｎｏ）場合には、上記の基本方針に基づけばそのまま直前の最終視聴番組と同じチャネルの番組を選局して表示することになるが、本実施の形態による受信装置では、ステップＳ７において直前の最終視聴番組に視聴年齢制限が付されているか否かを判断する。ステップＳ７において、最終視聴番組に視聴年齢制限が付されていない場合にはステップＳ８に進み、図４に示す最終視聴サービスのサービスＩＤ１０３を取得した後にステップＳ１０に進み取得したサービスＩＤのサービスを選局し、この選局に基づいて表示を行い（ステップＳ０−１）、処理を終了する（ステップＳ０−２）。サービスＩＤのサービスを選局すると、直前の最終視聴番組と同じチャネルの番組を選局して表示する。一方、ステップＳ７において、最終視聴番組に視聴年齢制限が付されている場合には、ステップＳ９に進み、例えば直前の選局や視聴者の嗜好などとは無関係にプロモーションチャネル又は基準チャネル（例えば、全国放送の番組やその地方の特別番組等）を選局し、この選局に基づいて表示を行い（ステップＳ０−１）、処理を終了する（ステップＳ０−２）。
【００１７】
一方、ステップＳ４において最終視聴番組候補が図３に示すリスト内に存在するが（Ｙｅｓ）ステップＳ５において最終視聴番組候補に対して視聴年齢制限が付されていると判断された場合（Ｙｅｓ）には、ステップＳ７に進み、以下、上記と同様のステップによりプロモーションチャネル又は基準チャネル（例えば、全国放送の番組やその地方の特別番組等）を選局するか（ステップＳ７でｙｅｓの場合）、又は最終視聴サービスを選局（ステップＳ７でｎｏの場合）し、この選局に基づいて表示を行い（ステップＳ０−１）、処理を終了する（ステップＳ０−２）。
【００１８】
次に、図２のステップＳ１０において、取得したサービスＩＤのサービスを選局し、表示させた後の処理について説明する。図５は、この場合の処理の流れを示すフローチャート図である。ステップＳ１０後以外にも、通常視聴中の選局（例えばリモコン指示による選局）後などにもこの処理が行われる。図５に示すように、ステップＳ１１において処理を開始すると、ステップＳ１２において、選局に成功したサービスのサービスＩＤを最終視聴サービスとして保存する。次いで、ステップＳ１３において、選局に成功したサービスＩＤの保存処理を終了する。これにより、例えば図３に示す時間別の最終視聴番組のリストに新たなサービスＩＤが付された番組が追加される。
【００１９】
次に、年齢制限情報を加味して、時間別の最終視聴番組のリストを再作成する処理の流れについて説明する。この処理は、パワーオン直後の選局後、通常の選局後、などに実行される。その他、あるサービス（例えば１０３チャンネルなど）を継続して視聴している際の番組の切り替わり直後（たとえば１１時から別の番組に切り替わるような場合、切り替わった後）にも実行される。図６に示すように、ステップＳ２１において処理を開始すると、ステップＳ２２において現在視聴中の番組の開始時間、終了時間を取得する。ステップＳ２３において、現在視聴中の番組の視聴年齢制限についての情報を取得する。ステップＳ２４において、現在視聴中の番組の開始時間から終了時間までの期間と、時間別最終視聴番組リスト中に存在する各番組の開始時間から終了時間までの時間区間とを比較し、重複していれば、この時間区間をリストから削除する（処理Ａ）。次いでステップＳ２５において、現在視聴中の番組を時間別最終視聴番組リストに登録する（処理Ｂ）。次いで処理を終了する（ステップＳ２６）。
【００２０】
図７（Ａ）及び図７（Ｂ）は、図６に示す年齢制限情報を加味して、時間別の最終視聴番組のリストを再作成する処理の第１例の具体的な内容を示す図である。図７（Ａ）は、現在視聴中の番組の内容を示すリストの例を示す図である。図７（Ａ）にリスト５１で示すように、水曜日の番組を視聴中であり、この番組の開始時間は水曜日の２０時２０分であり、終了時刻は２０時３０分である。ここで、図７（Ｂ）に示すように、この際の時間別最終視聴番組リスト５３が、図３に示すリストであったとする。ここで、図６に示す処理のうちの処理Ａを行うと、水曜日の２０時００分から２１時００分までのうち現在視聴中の水曜日２０時２０分から２０時３０分までの期間を削除することにより、リスト５５に示すように変更される。次いでリスト５７に示すように、現在視聴中の番組を時間別最終視聴番組リストに登録することにより、水曜日の２０時２０分から２０時３０分までの間に、サービスＩＤ１６１の番組が新たに登録される。
【００２１】
図８（Ａ）及び図８（Ｂ）は、図６に示す年齢制限情報を加味して、時間別の最終視聴番組のリストを再作成する処理の第２例の具体的な内容を示す図である。図８（Ａ）は、現在視聴中の番組の内容を示すリストの例を示す図である。図８（Ａ）にリスト６１で示すように、水曜日の番組を視聴中であり、この番組の開始時間は水曜日の１９時００分であり、終了時刻は２３時００分である。ここで、図７（Ｂ）に示すように、この際の時間別最終視聴番組リスト６３が、図３に示すリストであったとする。ここで、図６に示す処理のうちの処理Ａを行うと、水曜日の２０時００分から２１時００分までの期間と現在視聴中の水曜日１９時００分から２３時００分までの期間とが重複するため、リスト６５に示すように水曜日の２０時００分から２１時００分までの期間のリスト（サービスＩＤ１４１）の番組が削除される。次いでリスト６７に示すように、現在視聴中の番組を時間別最終視聴番組リストに登録することにより、水曜日の１９時００分から２３時００分までの間に、サービスＩＤ１５１の番組が新たに登録される。
【００２２】
以上に示す第１例と第２例とのいずれの場合においても、時間別最終視聴番組リストを最近のユーザの視聴結果に応じて随時更新することができる。このようにユーザは新たな視聴を行うことにより、時間別最終視聴番組リストが順次更新されていく。更新された時間別最終視聴番組リストに基づいて図２に示す処理をパワーオン時などに行うことにより、最新の情報に基づいて番組選局の判断を行うことができる。尚、制限（Ｒ−１８）を有する番組に関しても、同様に第１例又は第２例に基づいてリストが更新されることになる。
【００２３】
図２の処理に関しては、以上の例では、リモコンのパワーオンスイッチがオンされる場合に実行される場合について述べたが、他の例も考えられる。例えば、テレビ本体の電源スイッチで電源を投入する場合、コンセントを入れてテレビの電源を投入する場合などでもよい。また、パワーオン動作に関係しない場合も含まれ、例えば、リモコンにお好みＣＨボタンを備えておき、このボタンが押された場合などに図２の処理が行われてもよい。但し、上述の方法のままでは、視聴制限がされていない番組を視聴している際にお好みＣＨボタンを押しても、現在視聴している番組を再選局するだけになってしまうため、上記の変形例を実現させるためには、図６の処理によって時間別最終視聴番組リストを更新させる場合に、まずリストをコピーして仮のリスト（仮リスト）を作成し、この仮リストに対して図６に示す更新処理を行い、次の選局動作や時間の経過などによって別の番組の視聴状態に変化した時に、図６の処理を行う前にまずこの仮リストで時間別最終視聴番組リストを上書きするという動作が必要となる。
【００２４】
また、このようなお好みＣＨボタンを設ける例では、図２のフローチャートにおいて、ステップＳ４で「ｎｏ」と判定された場合や、ステップＳ５で「ｙｅｓ」と判定された場合、ステップＳ７以降の処理を行わずに、何もせずに終了してもよい。かかる処理を行うことにより、最も視聴したいと推測される番組に視聴年齢制限が付されている状態でお好みＣＨボタンを押しても、何も起こらず、該当番組が無い場合と同じような動作となる。
【００２５】
図６の処理は、以上の例では、パワーオン直後の選局後、通常の選局後、また、番組の切り替わりの直後に実行されるものとして説明したが、他の例として、例えばリモコンにお好みＣＨ登録ボタンを備えておき、このボタンが押された時にこの処理を行うようにしても良い。
【００２６】
以上、本実施の形態による受信装置によれば、最も視聴したいと推測される番組に視聴年齢制限が付されていた場合には、リモコン装置によるパワーオン時などにこの番組を選局せずに他の関係ない番組を選局するため、他者、特に子供などに視聴年齢制限が付された番組を見せずにすむという利点がある。また、かかる番組を受信装置の共有者に見られることを防止できるという利点がある。
【００２７】
尚、上記実施の形態においては、番組の視聴を例にして説明したが、番組の予約録画に応用することも可能である。また、視聴制限については、年齢に基づく視聴制限を例にして説明したが、その他、他のユーザ（例えば子供の親）が付加した視聴制限に応じて同様の処理を行うことにより、同様の効果を得ることも可能である。
【産業上の利用可能性】
【００２８】
本発明は、テレビジョン受信機の選局制御に適用することができる。
【図面の簡単な説明】
【００２９】
【図１】本実施の形態による受信装置の一構成例を示す機能ブロック図である。
【図２】本実施の形態による受信装置による選局処理の流れを示すフローチャート図である。
【図３】時間別の最終視聴番組のリストの例を示す図である。
【図４】図２および図３に基づいて、提供される最終視聴サービスのサービスＩＤの例を示す図である。
【図５】サービスＩＤの保存処理の流れを示す図である。
【図６】年齢制限情報を加味して、時間別の最終視聴番組のリストを再作成する処理の流れを示す図である。
【図７】図７（Ａ）及び（Ｂ）は、図６に示す年齢制限情報を加味して、時間別の最終視聴番組のリストを再作成する処理の第１例の具体的な内容を示す図である。
【図８】図８（Ａ）及び（Ｂ）は、図６に示す年齢制限情報を加味して、時間別の最終視聴番組のリストを再作成する処理の第２例の具体的な内容を示す図である。
【符号の説明】
【００３０】
１１…ＲＣ受信部、１２…制御部、１２ａ…視聴制限情報検出部、１３…チューナ部、１４…ストリーム処理部、１５…マルチメディア・プロセッサ部、１９…登録番組記憶部、２０…日時管理部、２２…出力部。
【図１】
2006086597.tif 000003
【図２】
2006086597.tif 000004
【図３】
2006086597.tif 000005
【図４】
2006086597.tif 000006
【図５】
2006086597.tif 000007
【図６】
2006086597.tif 000008
【図７】
2006086597.tif 000009
【図８】
2006086597.tif 000010